(57)【特許請求の範囲】
【請求項１】
送風機（２７）の配設されている送風機室（Ｓ１）と前記送風機室以外の機械室（Ｓ２）とに仕切られ、発熱部品（５２）が設けられる空気調和装置の室外ユニット（２）であって、
前記送風機室（Ｓ１）内に配設され、開口（７１ｂ）が設けられ、内部に前記発熱部品（５２）を収納する筐体（６０）と、
前記筐体（６０）において前記開口（７１ｂ）が設けられた位置と前記発熱部品（５２）が収納されている位置との間に配設され、前記筐体（６０）の開口（７１ｂ）から前記発熱部品（５２）に向かう空気流れに対する通風抵抗として機能し、空気よりも水のほうが通過しにくい流路が形成されている第１遮水板（９１）と、
を備え、
前記第１遮水板（９１）が設けられた位置と前記発熱部品（５２）が収納されている位置との間に配設され、前記筐体（６０）の開口（７１ｂ）から前記発熱部品（５２）に向かう空気流れに対する通風抵抗として機能し、空気よりも水のほうが通過しにくい流路が形成されている第２遮水板をさらに備えるか、
もしくは、
前記筐体（６０）の開口（７１ｂ）近傍部分が前記筐体（６０）の外部から前記発熱部品（５２）に向かう空気流れに対する通風抵抗として機能し、前記開口（７１ｂ）は空気よりも水のほうが通過しにくくなっているか、
の少なくともいずれか一方によって二重遮水構造が採用されている、
空気調和装置の室外ユニット（２）。
【請求項２】
前記流路は、複数設けられている、
請求項１に記載の空気調和装置の室外ユニット（２）。
【請求項３】
前記筐体（６０）は、前記送風機室（Ｓ１）の上方に配設される、
請求項１または２に記載の空気調和装置の室外ユニット（２）。
【請求項４】
前記機械室（Ｓ２）内に、前記発熱部品（５２）以外の他の電装部品（４２）を配設するための電装部品ユニット（４０）をさらに備えた、
請求項１から３のいずれか１項に記載の空気調和装置の室外ユニット（２）。
【請求項５】
前記筐体（６０）は、前記送風機室（Ｓ１）の内部のうち、前記機械室（Ｓ２）側とは反対側に配設される、
請求項４に記載の空気調和装置の室外ユニット（２）。
【請求項６】
前記送風機（２７）を前記送風機室（Ｓ１）に配設するための送風機台（２８ａ）をさらに備え、
前記筐体（６０）は、前記送風機台（２８ａ）に対して取付けられる、
請求項１から５のいずれか１項に記載の空気調和装置の室外ユニット（２）。
【請求項７】
前記第１遮水板（９１）は、前記発熱部品（５２）を収納する部分から前記筐体の開口（７１ｂ）に向かう方向に膨出した膨出部（９１ａ）を有し、
前記膨出部（９１ａ）は、下端部分において、前記発熱部品（５２）の近傍の空間と前記筐体の開口（７１ｂ）の近傍の空間とを上下方向に連通させる遮水孔（９１ｂ）を有する、
請求項１から６のいずれか１項に記載の空気調和装置の室外ユニット（２）。
【請求項８】
前記筐体（６０）の開口（７１ｂ）は、前記筐体（６０）の外部の空気を前記筐体（６０）の内部に取り入れる取入口であり、
前記筐体（６０）は、前記第１遮水板（９１）の遮水孔（９１ｂ）を通過した空気を外部に放出する放出口（Ｏ４）をさらに有する、
請求項７に記載の空気調和装置の室外ユニット（２）。
【請求項９】
前記発熱部品（５２）は、前記筐体（６０）の底面（７９）から所定の高さの位置に配設される、
請求項１から８のいずれか１項に記載の空気調和装置の室外ユニット（２）。
【請求項１０】
前記発熱部品（５２）は、空調制御を行うためのインバータ回路において用いられるリアクタである、
請求項１から９のいずれか１項に記載の空気調和装置の室外ユニット（２）。
【発明の詳細な説明】
【技術分野】
【０００１】
本発明は、空気調和装置の室外ユニット、特に、送風機の配設されている送風機室と送風機室以外の機械室とに仕切られ、発熱部品が設けられている空気調和装置の室外ユニットに関する。
【背景技術】
【０００２】
空気調和装置の室外ユニットは、一般に、室外ユニットのケーシング内が、正面視において上下および前後方向に延びる仕切り板によって、送風機室と機械室とに分割されている。送風機室には、熱交換器、送風ファン等が設けられており、機械室には、圧縮機やリアクタ等が設けられている。また、機械室には、パワートランジスタやコンデンサ等の各種電装部品を内蔵する電装部品ユニットが配設されている。この電装部品ユニット内の制御回路によって送風ファン、圧縮機等に駆動電力が供給されるとともに、それらの駆動制御が行われる。電装部品ユニット内の電装部品は、通常、プリント配線基板に実装されている。
【０００３】
ところで、近年、圧縮機の運転を周波数制御（換言すれば、インバータ制御）することにより運転状態をより詳細にコントロールする技術が多用されるようになってきている。このようなインバータ制御を行うためには、発熱部品であるリアクタ等を用いることが多く、これに伴ってこの発熱部品を冷却することが必要となる。
これに対して、従来の空気調和装置の室外ユニットでは、以下の特許文献１において示されるように、仕切り板に開口を設けて送風機室内の空間と接するようにしてリアクタを配設して、リアクタの冷却を行っている。すなわち、室外ユニットの送風ファンが回転すると、室外ユニットの外部から熱交換器を通じて室外ユニットの送風機室内へ空気が流れ込み、発熱部品であるリアクタ近傍において空気の流れを生じさせる。この空気の流れは、リアクタ近傍において滞留している熱を拡散させることができるため、リアクタを冷却することが可能となっている。
【特許文献１】特開平９−２９２１４２号公報
【発明の開示】
【発明が解決しようとする課題】
【０００４】
ところが、上述した室外ユニットでは、リアクタ全体のうち送風機室内の空間と接している部分は一部であり、送風ファンによって空気の流れを作ってもリアクタ全体を十分に冷却することは難しい。このため、リアクタの温度が上昇してしまって使用条件に制約が掛かる原因となる等によってリアクタの機能を十分に発揮できなくなる恐れがあるため、耐熱性の高いリアクタを使わざるを得ずにコストアップにつながってしまう。
【０００５】
これに対して、リアクタを十分に冷却するために通気性のあるケーシングでリアクタを覆って、リアクタの全体を送風機室内に配設することもできる。しかし、室外ユニットは屋外に配置されるものであることから、送風機室内部に雨水等が進入して、空気流れの勢いによってリアクタにまで雨水等が到達してしまうという危険性がある。このようにしてリアクタが水分を含んでしまうと短絡を招いてしまう恐れがあり、耐水性の高いリアクタを使わざるを得ず、やはりコストアップにつながってしまう。
【０００６】
本発明の課題は、空気流れの勢いによって発熱部品に水が触れることを抑えつつ、空気を選択的に通過させることで発熱部品の冷却効果を向上させることが可能な空気調和装置の室外ユニットを提供することにある。
【課題を解決するための手段】
【０００７】
第１発明の空気調和装置の室外ユニットは、送風機の配設されている送風機室と送風機室以外の機械室とに仕切られ、発熱部品が設けられる空気調和装置の室外ユニットであって、筐体と、第１遮水板とを備えている。筐体は、送風機室内に配設され、開口が設けられ、内部に発熱部品を収納する。第１遮水板は、筐体において開口が設けられた位置と発熱部品が収納されている位置との間に配設され、筐体の開口から発熱部品に向かう空気流れに対する通風抵抗として機能し、空気よりも水のほうが通過しにくい流路が形成されている。そして、第１遮水板が設けられた位置と発熱部品が収納されている位置との間に配設され、筐体の開口から発熱部品に向かう空気流れに対する通風抵抗として機能し、空気よりも水のほうが通過しにくい流路が形成されている第２遮水板をさらに備えるか、もしくは、筐体の開口近傍部分が筐体の外部から発熱部品に向かう空気流れに対する通風抵抗として機能し、開口は空気よりも水のほうが通過しにくくなっているか、の少なくともいずれか一方によって二重遮水構造が採用されている。なお、ここでの二重遮水構造は、上記第１遮水板と、第２遮水板もしくは筐体の開口近傍部分の機能や構造と、による二重遮水構造に限られず、同様の機能や構造を有する遮水板を何重にも重ねて配設してなる多重遮水構造において採用してもよい。また、ここでの空気よりも水のほうが通過しにくい遮水板としては、例えば、スポンジ状の微細な孔が多数設けられたような板や、筐体の開口から取り込まれる空気の流路において上方に向かう部分を有する構造の板等が含まれる。ここでの微細な孔が多数設けられたものでは、水滴の大きさに基づいてある程度の大きさの水滴を捕らえることができるような微細な孔が多数設けられている遮水板を用いて、水を捕らえつつ空気を通過させて空気と水とを分離する。また、空気の流路において上方に向かう部分を有する構造のものでは、水と空気との比重に基づいて、すなわち、空気よりも比重が大きい水が上方に上がりにくいという性質により空気と水とを分離する。
【０００８】
従来の空気調和装置の室外ユニットでは、発熱部品全体のうちの一部分しか冷却が行われていないために、発熱部品の冷却を十分に行うことができない場合がある。また、発熱部品を送風機室内に配設して十分な冷却を行う場合であっても、室外ユニットの送風機室内部に雨水等が進入してリアクタに水分を与えてしまい短絡を招くという恐れがある。
しかし、第１発明の空気調和装置の室外ユニットでは、発熱部品を収納するための筐体には、送風機の配設されている送風機室内に配設され、開口が設けられている。このため、送風機が駆動することによって、開口から筐体内部にかけて空気の流れが生じて、筐体内部に収納される発熱部品から生じる熱を拡散させることによっての熱の滞留を抑えることができるようになる。また、筐体は室外ユニットの送風機室内に配設されているために、空気流れの勢いによって屋外の雨水等が筐体にまで達することもありうる。しかし、ここでは、筐体の開口が設けられている位置と発熱部品が収納されている位置との間において第１遮水板を配設している。そして、この第１遮水板には、筐体の開口から発熱部品に向かう空気流れに対する通風抵抗として機能し、空気よりも水のほうが通過しにくい流路が形成されている。このため、空気流れの勢いによって筐体の開口から空気に混じって水分が混入するような場合であっても、空気流れの勢いを弱めることができ、第１遮水板自体を通過して発熱部品の配設場所にまで到達する水分の量を効果的に減少させることができるようになる。
さらに、ここでは、筐体の開口近傍部分が筐体の外部から発熱部品に向かう空気流れに対する通風抵抗として機能し、空気よりも水のほうが通過しにくい構造が二重に設けられている二重遮水構造が採用されている。このため、仮に、空気流れが強く水分が一重目を通り越すことがあっても、二重目が存在するために、発熱部品に対して水分が直接到達することを抑えることが可能になる。また、仮に、勢いが弱められた空気流れに乗って水分が一重目を通り越すことがあっても、二重目の存在によって空気流れの勢いがさらに弱められるため、発熱部品に対する遮水効果を向上させることができるようになる。
このため、ここでは、空気流れの勢いによって発熱部品に水が触れることを効果的に抑えつつ、空気を選択的に通過させることで発熱部品の冷却効果を向上させることが可能となる。
【０００９】
なお、ここでは、筐体に設けられている開口が複数存在する場合において、各開口と発熱部品との間に第１遮水板を配設するという室外ユニットも含まれる。さらに、筐体の開口が設けられている位置と発熱部品が収納されている位置との間に、複数枚の第１遮水板が配設されているという室外ユニットも含まれる。また、第１遮水板は、筐体の開口と発熱部品との間に設けられていればよく、筐体と第１遮水板とが一体に形成されているような室外ユニットも含まれる。
【００１０】
第２発明の空気調和装置の室外ユニットは、第１発明の空気調和装置の室外ユニットであって、流路は、複数設けられている。
ここでは、第１遮水板に、空気よりも水のほうが通過しにくい流路が複数形成されている。このため、１つの流路を細く形成する等によって通過する空気の勢いを弱めて遮水効果を向上させようとする場合であっても、複数の流路を通過する空気を合計して得られる空気流れによって、発熱部品の冷却効果を維持することが可能になる。
第３発明の空気調和装置の室外ユニットは、第１発明または第２発明の空気調和装置の室外ユニットであって、筐体は、送風機室の上方に配設される。
室外ユニットが屋外の地面や床等の場所に直接設置されるような場合において、屋外の雨等によって室外ユニットが浸水してしまうような状態になると、発熱部品が収納されている筐体も水没してしまう恐れがある。
【００１１】
しかし、ここでは、発熱部品を収納する筐体は、室外ユニットの送風機室の上方に配設されている。このため、室外ユニットが一時的に浸水してしまうような状態であっても、発熱部品までもが水没してしまうという危険性を低減させることができるようになる。
第４発明の空気調和装置の室外ユニットは、第１発明から第３発明のいずれかの空気調和装置の室外ユニットであって、電装部品ユニットをさらに備えている。電装部品ユニットは、機械室内において、発熱部品以外の他の電装部品を配設する。
【００１２】
他の電装部品が発熱部品に隣接して配設されている場合には、発熱部品からの熱が他の電装部品の近傍に滞留してしまう恐れがある。そして、他の電装部品が熱による悪影響を受けやすい部品である場合には、他の電装部品に対して悪影響を与えない程度にまで十分に発熱部品を冷却してやる必要があるが、このような十分な冷却が困難なことがある。この点は、室外ユニットのコンパクト化に伴い発熱部品と他の電装部品との配設距離が短くなってきている今日においては、発熱部品からの熱が他の電装部品の近傍により滞留しやすいため、一層重要な問題となってきている。
【００１３】
しかし、ここでは、電装部品ユニットに配設される他の電装部品を機械室内に配設するため、送風機室内の筐体に収納された発熱部品とは別の部屋に配設することができる。このため、発熱部品から放熱される熱が他の電装部品に対して与える悪影響を低減させることができるようになる。
なお、発熱部品だけでなく他の電装部品も発熱性を有する場合についても、発熱部品と、発熱性を有する他の電装部品とをそれぞれ別の部屋に配設させることができるため、上記と同様に、それぞれの発熱によって生じうる悪影響を低減させることができるようになる。
【００１４】
第５発明の空気調和装置の室外ユニットは、第４発明の室外ユニットであって、筐体は、送風機室の内部のうち、機械室側とは反対側に配設される。
ここでは、筐体は、機械室側とは反対側に配設される。このため、発熱部品と機械室内部に設けられる他の電装部品との間の距離を長く設けることができるようになる。これによって、発熱部品から生ずる熱が他の電装部品にまで漏れ出すことを抑えて、発熱部品が他の電装部品に対して及ぼしうる悪影響をより効果的に抑えることができるようになる。
【００１５】
第６発明の空気調和装置の室外ユニットは、第１発明から第５発明のいずれかの空気調和装置の室外ユニットであって、送風機台をさらに備えている。この送風機台を用いることによって、送風機は、送風機室に配設される。そして、筐体は、この送風機台に対して取り付けられる。
筐体は、内部に収納する発熱部品の冷却を行うために、室外機の送風機室に配設される。このように、送風機室に筐体を配設する場合には、通常、筐体を配設するための支柱等を送風機室内において新たに設けなければならない。
【００１６】
しかし、ここでは、筐体が、送風機を取り付けるための送風機台に対して取り付けられる。このため、送風機台を、送風機を配設するための台としてだけでなく、筐体を配設するための台としても流用することができる。よって、筐体を配設するために必要となる部材の数の増加を抑えることができる。したがって、筐体を送風機室に配設する場合においても、送風室の送風を妨げるような部材の数の増加を抑えて、送風効率の減少を抑えることができるようになる。
【００１７】
第７発明の空気調和装置の室外ユニットは、第１発明から第６発明のいずれかの空気調和装置の室外ユニットであって、第１遮水板は、発熱部品を収納する部分から筐体の開口に向かう方向に膨出した膨出部を有している。この膨出部は、膨出部の下端部分において、発熱部品の近傍の空間と筐体の開口の近傍の空間とを上下方向に連通させる遮水孔を有する。
【００１８】
空気調和装置の室外ユニットは、通常、屋外に配設されるために、送風機室内部に雨水等の水分が流入してしまう場合がある。このため、発熱部品を冷却するために取り込んでいる空気に混じって水分までもが取り込まれてしまうと、発熱部品が短絡してしまう等の問題がある。
しかし、ここでは、筐体の開口を通過した空気が第１遮水板の遮水孔を通過することで、発熱部品の近傍に空気の流れを形成することができる。さらに、この空気の流路において遮水孔部分では、上方に向かう部分を有する構造となっている。これにより、空気よりも比重が大きい水を空気よりも上方に向かいにくくさせることができるために、より多くの水分を遮ることができ、発熱部品を水分からより十分に保護することができるようになる。
【００１９】
第８発明の空気調和装置の室外ユニットは、第７発明の空気調和装置の室外ユニットであって、筐体の開口は、筐体の外部の空気を筐体の内部に取り入れる取入口である。また、筐体は、筐体の遮水孔を通過した空気を外部に放出する放出口をさらに有している。
ここでは、取入口だけでなく放出口も設けることによって、送風機室内の送風機が回転駆動した場合に、筐体内部における取込口から放出口への空気の流れを十分に作り出すことができるようになる。これによって、発熱部品の近傍における空気の流れも十分に確保することができるようになり、発熱部品の冷却を十分に行うことが可能となる。
【００２０】
第９発明の空気調和装置の室外ユニットは、第１発明から第８発明のいずれかの空気調和装置の室外ユニットであって、発熱部品は、筐体の底面から所定の高さの位置に配設される。
ここでは、筐体の開口部分を通過して水が筐体内部に入り込んだ場合であっても、発熱部品は筐体の底面から所定の高さの位置に収納されている。このため、発熱部品は、筐体の底面に対して浮いた状態で配設されることになる。よって、外部から筐体内部に水分が入り込んだとしても、その入り込んだ水分を筐体の底面において這わせることができる。したがって、外部から筐体内部に水分が入り込んだとしても、発熱部品に対して水分が直接接触する危険性を低減させることが可能となる。
【００２１】
第１０発明の空気調和装置の室外ユニットは、第１発明から第９発明のいずれかの空気調和装置の室外ユニットであって、発熱部品は、空調制御を行うためのインバータ回路において用いられるリアクタである。
ここでは、発熱部品がインバータ回路において用いられるリアクタであっても、リアクタに水が触れることを抑えつつ、筐体内部における空気の流れによってリアクタを十分に冷却することができるようになる。
【発明の効果】
【００２２】
第１発明の空気調和装置の室外ユニットでは、空気流れの勢いによって発熱部品に水が触れることを効果的に抑えつつ、空気を選択的に通過させることで発熱部品の冷却効果を向上させることが可能となる。
第２発明の空気調和装置の室外ユニットでは、１つの流路を通過する空気の勢いを弱めて遮水効果を向上させようとする場合であっても、複数の流路を通じて合計して得られる空気流れによって、発熱部品の冷却効果を維持することが可能になる。
第３発明の空気調和装置の室外ユニットでは、室外ユニットが浸水してしまうような状態であっても、発熱部品までもが水没してしまうという危険性を低減させることができるようになる。
【００２３】
第４発明の空気調和装置の室外ユニットでは、発熱部品から放熱される熱が他の電装部品に対して与える悪影響を低減させることができるようになる。
第５発明の空気調和装置の室外ユニットでは、発熱部品から生ずる熱が他の電装部品にまで漏れ出すことを抑えて、発熱部品が他の電装部品に対して及ぼしうる悪影響をより効果的に抑えることができるようになる。
【００２４】
第６発明の空気調和装置の室外ユニットでは、筐体を送風機室に配設する場合においても、送風室の送風を妨げるような部材の数の増加を抑えて、送風効率の減少を抑えることができるようになる。
第７発明の空気調和装置の室外ユニットでは、空気よりも比重が大きい水を空気よりも上方に向かいにくくさせることができるために、より多くの水分を遮ることができ、発熱部品を水分からより十分に保護することができるようになる。
【００２５】
第８発明の空気調和装置の室外ユニットでは、発熱部品の近傍における空気の流れも十分に確保することができるようになり、発熱部品の冷却を十分に行うことが可能となる。
第９発明の空気調和装置の室外ユニットでは、外部から筐体内部に水分が入り込んだとしても、発熱部品に対して水分が直接接触する危険性を低減させることが可能となる。
【００２６】
第１０発明の空気調和装置の室外ユニットでは、発熱部品がインバータ回路において用いられるリアクタであっても、リアクタに水が触れることを抑えつつ、筐体内部における空気の流れによってリアクタを十分に冷却することができるようになる。
【発明を実施するための最良の形態】
【００２７】
＜マルチ型の空気調和装置の概要＞
本発明の一実施形態に係る空気調和装置の室外機２は、図１に示すようなマルチ型の空気調和装置１００において用いられる室外機２である。このマルチ型の空気調和装置１００の室内機１は、１つの室外機２に対して接続されて、室内の天井等に複数取り付けられる室内機１ａ〜１ｄのような形態のものである。室外機２と室内機１ａ〜１ｄとは、冷媒配管や伝送線から成る接続部３（接続部３ａ〜３ｄ）によって接続されている。４台の室内機１ａ〜１ｄは、例えば、家庭内やビル内、店舗内において、それぞれ別の部屋に配置される。
【００２８】
＜冷媒回路の構成＞
このマルチ型の空気調和装置１００の冷媒回路の構成を、図２に示す。冷媒回路は、１台の室外機２と、室外機２に並列に接続された４台の室内機１ａ〜１ｄと、冷媒配管とにより構成されている。
室外機２は、圧縮機２０、四路切換弁２１、室外熱交換器２２、アキュムレータ２３などを備えている。圧縮機２０の吐出側には、圧縮機２０の吐出側の吐出管温度を検知するための吐出管サーミスタ２４が取り付けられている。また、室外機２には、外気温度を検知するための外気サーミスタ２５と、室外熱交換器２２の温度を検知するための室外熱交サーミスタ２６とが設けられている。また、室外熱交換器２２に空気を送り込むためにプロペラファン２７が設けられている。このプロペラファン２７は、ファンモータ２８によって回転駆動される。
【００２９】
各室内機１ａ〜１ｄは、同じ構成を有している。以下、室内機１ａ〜１ｄについて、室内機１ａを例にとって説明する。
室内機１ａは、互いに直列に接続された室内熱交換器３０ａおよび電動弁（膨張弁）３３ａを備えている。また、室内機１ａは、室内温度を検知するための室温サーミスタ３１ａと、室内熱交換器３０ａの温度を検知するための室内熱交サーミスタ３２ａとをそれぞれ備えている。室内熱交換器３０ａと電動弁３３ａとの間の配管には、室内熱交換器３０ａと電動弁３３ａとの間の液管温度を検知するための液管サーミスタ３４ａが設けられている。室内熱交換器３０ａのガス管側には、内部を通過する冷媒温度を検知するガス管サーミスタ３５ａが設けられている。
【００３０】
他の室内機１ｂ、１ｃ、１ｄについても室内機１ａと同様の構成であり、図２において、室内熱交換器、電動弁、各種サーミスタに対して同等の記号を付している。
＜室外機の詳細構成＞
本発明の一実施形態が採用された室外機２の詳細構成を、室外機２の断面斜視図である図３および室外機２の概略構成図である図４において示す。なお、図３において矢印Ｄ１で示す方向を上下方向Ｄ１とし、矢印Ｄ２で示す方向を左右方向Ｄ２とし、矢印Ｄ３で示す方向を前後方向Ｄ３として、以下説明する。
【００３１】
図３および図４において示すように、室外機２の内部は、仕切り板２９によって、プロペラファン２７が配設されている送風室Ｓ１と、圧縮機２０等の各種機械が配設されている機械室Ｓ２とに区画されている。この仕切り板２９は、上下方向Ｄ１に繋がっており、前後方向Ｄ３の後方に延びた後に右後方に向けて折れた形状となっており、圧縮機２０等の各種機械を覆うようにして設けられ、室外機２の内部空間を仕切っている。
【００３２】
送風室Ｓ１内には、図３において示すように、プロペラファン２７、ファンモータ２８、ファンモータ台２８ａ、後方から左方にかけて略Ｌ字形状に形成された室外熱交換器２２、リアクタ５２を収納するリアクトルボックス５０等が配置される。室外機２の送風室Ｓ１においては、プロペラファン２７がファンモータ２８によって回転駆動されることによって、室外熱交換器２２において熱交換を行うための空気が取り込まれる。また、図４において矢印で示すように、プロペラファン２７が回転駆動することによって、後述するように、リアクトルボックス５０の内部における空気流れＦができる。このように、送風室Ｓ１は、前後方向Ｄ３の後方から前方に向けて外気が通過する送風流路となっている。ファンモータ台２８ａは、図３に示すように、室外熱交換器２２の中央付近において上下方向Ｄ１に延びており、上方部分が前後方向に延びるようにして設けられる。なお、ファンモータ台２８ａは、上方部分のうち後ろ側に延びた部分によって、室外熱交換器２２の上端中央近傍に係止される。
【００３３】
機械室Ｓ２内には、圧縮機２０、四路切換弁２１、電動弁３３、電装部品ユニット４０などの部品が配置される。また、この機械室Ｓ２は、図３および図４において示すように、略密閉されたケーシングで覆われており、外気からある程度隔離されるように構成されている。圧縮機２０は、図３において示すように、機械室Ｓ２の内部の略中央付近に配置されている。四路切換弁２１や電動弁３３は、図４において示すように、共に圧縮機２０の側方に配置される。電装部品ユニット４０は、機械室Ｓ２の内部の上方空間に配設され、内部にプリント配線基板４１を収納している。また、電装部品ユニット４０には、図４に示すように、プリント配線基板４１の右端部分から下方に延びるプリント配線基板４１’が設けられている。プリント配線基板４１およびプリント配線基板４１’は、それぞれ下面、右側面が実装面となっており、発熱性のパワートランジスタ４５やコンデンサ、ダイオードブリッジ、室外機２の各機械部品を制御するための制御回路用のＩＣや制御プログラムを格納するメモリ等、多くの電装部品４２が実装されている。そして、電装部品ユニット４０のケーシングに設けられた開口を介して、機械室Ｓ２の電装部品ユニット４０の下方に配設されている圧縮機２０、四路切換弁２１、電動弁３３、ファンモータ２８等が、ワイヤハーネスを介してプリント配線基板４１、４１’に実装された複数のコネクタに接続される。さらに、機械室Ｓ２内には、各種サーミスタが配置されており、これらのサーミスタもプリント配線基板４１、４１’のコネクタに接続される。一方、送風室Ｓ１に配置されるファンモータ２８も、ワイヤハーネスを介してプリント配線基板４１、４１’のコネクタと接続されることによって回転制御される。なお、プリント配線基板４１、４１’の回路とリアクタ５２とにより図示しないインバータ回路が構成されており、このインバータ回路によって圧縮機２０の回転数を可変速制御する。また、電装部品ユニット４０には、図４において示すように、プリント配線基板４１’に実装されている発熱性の電装部品４２であるパワートランジスタ４５から生ずる熱を効果的に拡散するために、機械室Ｓ２から送風室Ｓ１に付き向けるようにして放熱フィン４３が設けられている。これによって、パワートランジスタ４５から生ずる熱も、送風室Ｓ１のプロペラファン２７によって十分に冷却することができる。
【００３４】
［リアクトルボックスの詳細構成］
リアクトルボックス５０は、図３において示すように、室外機２の送風室Ｓ１の上方空間において、室外熱交換器２２とファンモータ台２８ａとに架設するようにして設けられている。また、リアクトルボックス５０は、図４に示すように、送風室Ｓ１の内部のうち、電装部品ユニット４０に設けられている放熱フィン４３とは反対側である左側に配設されている。このリアクトルボックス５０は、内部に発熱性のリアクタ５２を収納する。
【００３５】
リアクトルボックス５０は、図５に示すように、下部ケーシング７０と上部ケーシング８０とからなる本体ケーシング６０と、本体ケーシング６０の内部に配設される遮水ケーシング９０とから構成される。
これらのケーシングは、図５の組み立て図面において示すように、螺子６１、６３、６４、６５によって互いに螺合されることによりリアクトルボックス５０を形成する。そして、このリアクトルボックス５０は、リアクトルボックスの右側面を示す図８や図５、図３において示すように、螺子６８によって、後述するファンモータ台２８ａの対応部分に穿設された螺子孔２８ｂに対して螺合される。
【００３６】
また、リアクタ５２は、圧縮機２０の回転数等の制御を行うインバータ回路の一部を構成している。リアクトルボックスの正面図である図６において示すように、リアクタ５２は、リアクトルボックス５０の内部に収納されている。また、リアクタ５２は、ファンモータ台２８ａの後ろ側を伝って仕切り板２９を隔てて伸びるリアクタ用のワイヤハーネス（図示せず）を介して、電装部品ユニット４０内のプリント配線基板４１の下面のコネクタに接続される。リアクタ５２は、プリント配線基板４１に設けられている回路と共にインバータ回路を構成しており、圧縮機２０の回転数制御を行う。このリアクタ５２には、空気調和装置１００の運転時において、温度が上昇して発熱を伴うという性質がある。
【００３７】
以下、リアクトルボックス５０を構成する、遮水ケーシング９０と、本体ケーシング６０とについて説明する。
（遮水ケーシング）
遮水ケーシング９０は、図５に示すように、遮水左スリット９１と、遮水後方スリット９１’と、前面９３と、当接板９５と、右側面９７と，上面９９とから構成されている。
【００３８】
遮水左スリット９１は、正面図である図６および上面図である図７において示すように、遮水ケーシング９０の左側面を構成している。この、遮水左スリット９１は、図６に示すように、３つの膨出部９１ａが設けられている。この３つの膨出部９１ａには、それぞれ下端部分に遮水孔９１ｂが形成されている。膨出部９１ａは、図６および図７に示すように、遮水ケーシング９０の左側面からさらに左側に膨出しており、下に向かうにつれて膨出度合いが増すようにして形成される。遮水孔９１ｂは、膨出部９１ａの下端部分に設けられた開口であり、正面視においてわずかに右下方向に傾くようにして形成されている。遮水孔９１ｂは、図６に示すように、遮水左スリット９１に対して左右方向Ｄ２の右側の空間を構成する二重遮水空間Ｓ５と、遮水左スリット９１に対して左側の空間を構成する左側遮水空間Ｓ７とを上下方向Ｄ１からわずかに右に傾いた方向に連通させる。
【００３９】
遮水後方スリット９１’は、右側面図である図８および図７において示すように、遮水左スリット９１と同様な形状で、遮水ケーシング９０の後ろ側の面を構成している。この遮水後方スリット９１’は、図８に示すように、遮水ケーシング９０の後ろ側に膨出した３つの膨出部９１’ａと、それぞれの膨出部９１’ａの下端部分に設けられた遮水孔９１’ｂとを有している。膨出部９１’ａは、図８に示すように、遮水ケーシング９０の後方面からさらに前後方向Ｄ３の後方に膨出しており、下に向かうにつれて膨出度合いが増すように形成される。遮水孔９１’ｂは、膨出部９１’ａの下端部分に設けられた開口であり、右側面視においてわずかに左下方向に傾くようにして形成されている。遮水孔９１’ｂは、図８および図７に示すように、遮水後方スリット９１’に対して前後方向Ｄ３の前側の空間を構成する二重遮水空間Ｓ５と、遮水後方スリット９１’に対して後方の空間を構成する後方遮水空間Ｓ８とを、右側面視において上下方向Ｄ１からわずかに左に傾いた方向に連通させる。
【００４０】
上面９９は、図５および図６に示すように、遮水ケーシング９０の上方の面を構成しており、２つのリアクタ螺子孔９２と、リアクタ取付凹部９８とを有している。リアクタ螺子孔９２は、上面９９の２箇所において上下方向Ｄ１に貫通するように穿設されている。リアクタ取付凹部９８は、上面９９の右側において前側と後ろ側とに２つ設けられており、わずかに下方向に窪んで形成されている。また、前側の窪み部分は、左右方向Ｄ２の左側から前後方向Ｄ３の後方にかけて開いた開口が設けられており、後ろ側の窪み部分は、左右方向Ｄ２の左側から前後方向Ｄ３の前方にかけて開いた開口が設けられている。
【００４１】
前面９３は、図５に示すように、遮水ケーシング９０の前側の面を構成しており、前後方向Ｄ３に穿設された螺子孔９３ａを有している。当接板９５は、図６に示すように、遮水左スリット９１の下端部分から、左右方向Ｄ２の右側に延びるようにして設けられている。右側面９７は、図５および図６に示すように、遮水ケーシング９０の右側の面を構成しており、左右方向Ｄ２に穿設された螺子孔９７ａを有している。また、右側面９７には、さらに、図５、図６および図８に示すように、螺子孔９７ａの上方において、前後方向Ｄ３に長く左右方向Ｄ２に貫通している放熱開口９７ｂを有している。
【００４２】
（本体ケーシング）
本体ケーシング６０は、下部ケーシング７０と、上部ケーシング８０とが上下方向Ｄ１に組み合わされて構成されている。
（下部ケーシング）
下部ケーシング７０は、図５に示すように、下部左スリット７１と、右側面７３と、前方固定部７４と、後方固定部７５と、排水孔７６と、Ｌ字形状板７７と、斜面７８と、底面７９とから構成されている。
【００４３】
下部左スリット７１は、正面図である図６および上面図である図７において示すように、上方部分は上下方向Ｄ１に延びており、下方部分が右方向に折れて右下方向に延びて下部ケーシング７０の左側面を構成している。この、下部左スリット７１は、図６および図７において示すように、３つの膨出部７１ａが設けられている。この３つの膨出部７１ａには、それぞれの下端部分に遮水孔７１ｂが形成されている。この膨出部７１ａは、図６に示すように、下部ケーシング７０の左側面からさらに左側に膨出しており、下に向かうにつれて膨出度合いが増すように形成される。遮水孔７１ｂは、膨出部７１ａの下端部分に設けられた開口であり、正面視においてわずかに右下方向に傾くようにして形成されている。遮水孔７１ｂは、図６に示すように、下部左スリット７１に対して左右方向Ｄ２の右側の空間を構成するリアクトルボックス５０の外部の送風室Ｓ１と、下部左スリット７１に対して右側の空間を構成する左側遮水空間Ｓ７とを、上下方向Ｄ１からわずかに右に傾いた方向に連通させる。
【００４４】
底面７９は、図６および図８に示すように、下部左スリット７１の下端部分から左右方向Ｄ２の右方向に延びて下部ケーシング７０の底面を構成している。排水孔７６は、図６に示すように、下部左スリット７１の下端部分と底面７９の左端部分とにおいて、リアクトルボックス５０の外部の送風室Ｓ１と、左側遮水空間Ｓ７とを連通させるように設けられた開口である。また、この遮水孔７６は、図５において示すように、前側と後ろ側との２カ所に設けられている。斜面７８は、図６に示すように、底面７９の右端部分から右上方向に延びており、下部ケーシング７０の右下の面を構成している。右側面７３は、図６において示すように、斜面７８の上端部分から上下方向Ｄ１の上方に延びる面を構成している。この右側面７３は、左右方向Ｄ２に穿設された螺子孔７３ａを有している。Ｌ字形状板７７は、図５および図６において示すように、右側面７３の上端部分から左右方向Ｄ２の右側に延びた後に、上下方向Ｄ１の上方に折れたＬ字形状の面を構成している。前方固定部７４は、図５、図７および図８において示すように、下部ケーシング７０の前面の上端中央部分から前面側に延びた面であり、この面の中央近傍において上下方向Ｄ１に穿設された螺子孔７４ａを有している。後方固定部７５は、前方固定部７４と同様であり、図５、図７および図８において示すように、下部ケーシング７０の後ろ側の面の上端中央部分から後ろ側に延びた面であり、この面の中央近傍において上下方向Ｄ１に穿設された螺子孔７５ａを有している。
【００４５】
（上部ケーシング）
上部ケーシング８０は、図５に示すように、上部後方スリット８１と、前面８３と、前方被固定部８４と、後方被固定部８５と、導風板８７と、リアクトルボックス設置板８８と、上面８９とから構成されている。
上部後方スリット８１は、図８および図７において示すように、遮水後方スリット９１’と同様な形状であり、上部後方スリット８１の後ろ側の面８１を構成しており、３つの膨出部８１ａと、それぞれの膨出部８１ａに形成された遮水孔８１ｂとを有している。膨出部８１ａは、図８および図７に示すように、遮水ケーシング９０の後ろ側の面からさらに後ろ側に膨出しており、下に向かうにつれて膨出度合いが増すようにして形成される。遮水孔８１ｂは、図８に示すように、膨出部８１ａの下端部分に設けられた開口であり、右側面視においてわずかに左下方向に傾くようにして形成されている。遮水孔８１ｂは、図８に示すように、遮水後方スリット９１’に対して後ろ側の空間を構成する後方遮水空間Ｓ８と、上部後方スリット８１に対して後ろ側に面したリアクトルボックス５０の外部の送風室Ｓ１とを、右側面視において上下方向Ｄ１からわずかに左に傾いた方向に連通させる。
【００４６】
上面８９は、上部ケーシング８０の上方の面を構成しており、凹部８２と、挟持部８６と、係止部８９ａとを有している。凹部８２は、図６および図５において示すように、上部ケーシング８０の上面８９の２箇所において、後述するリアクタ５２の固定に用いられる螺子の位置に対応する場所において、上方に窪むようにして形成されている。挟持部８６は、図５、図６および図７において示すように、上部ケーシング８０の上面８９の左端部近傍に設けられている。この挟持部８６は、上部ケーシング８０の上面８９の左端部近傍において上下方向Ｄ１の下側に延びた外側挟持部８６ａと、外側挟持部８６ａよりも右側の位置から下側に延びた内側挟持部８６ｂとから構成されている。なお、内側挟持部８６ｂの上面端面から左側部分は、上下方向Ｄ１に貫通している。係止部８９ａは、図５、図６および図７において示すように、上部ケーシング８０の上面８９のうちの右端部分を構成しており、ファンモータ台２８ａに対して当接するために、わずかに上方に盛り上がって形成されている。
【００４７】
導風板８７は、図５および図６に示すように、上部ケーシング８０の上面８９の一部を構成する係止部８９ａの左端部分から上下方向Ｄ１の下側に向けて延びて面を構成している。リアクトルボックス設置板８８は、図５、図７および図８において示すように、上部ケーシング８０の右側の後ろ側の面から後方へと延びてさらに右側に折れるようにして設けられている。リアクトルボックス設置板８８には、右側に折れるようにして設けられている面において前後方向Ｄ３に連通するように螺子孔８８ａが設けられている。前面８３は、上部ケーシング８０の前面側を構成しており、前後方向Ｄ３に穿設された螺子孔８３ａを有している。
【００４８】
前方被固定部８４は、図５、図７および図８において示すように、上部ケーシング８０の前面の下端中央部分から前面側に延びた面であり、この面の中央近傍において上下方向Ｄ１に穿設された螺子孔８４ａを有している。後方被固定部８５は、前方被固定部８４と同様であり、図５、図７および図８において示すように、上部ケーシング８０の後ろ側の面の下端中央部分から後ろ側に延びた面であり、この面の中央近傍において上下方向Ｄ１に穿設された螺子孔８５ａを有している。
【００４９】
［リアクトルボックスの固定］
リアクトルボックス５０は、本体ケーシング６０と遮水ケーシング９０とが組み合わされて構成され、内部にリアクタ５２が収納されて、室外機２の送風室Ｓ１の内部に固定される。
（リアクトルボックスおよびリアクタの固定動作）
図５において示すように、水ケーシング９０と、下部ケーシング７０と上部ケーシング８０とから構成される本体ケーシング６０とによって構成されるリアクトルボックス５０に対しては、内部にリアクタ５２が固定される。具体的には、図５および図６に示すように、以下のような手順で固定される。
【００５０】
初めに、リアクタ５２が遮水ケーシング９０に対して固定される。まず、リアクタ５２の右上端部分５２ａを、図６および図５において示すように、遮水ケーシング９０の上面９９のリアクタ取付凹部９８の内側に設けられた開口に対して、左右方向Ｄ２の右方向にスライドさせる。リアクタ５２が右方向にスライドされると、リアクタ５２の右上端部分５２ａが、遮水ケーシング９０の上面のリアクタ取付凹部９８に対して係合される。また、リアクタ５２の左側部分５２ｂについては、図６の正面図および図５において示すように、螺子６２によって、遮水ケーシング９０の上面に穿設されたリアクタ螺子孔９２と、図示しないリアクタ５２の対応部分に穿設された螺子孔とが略上下方向Ｄ１に連通されて螺合される。この際、螺子６２は、図６に示すように、遮水ケーシング９０の上面を越えてさらに上方に突出してしまうが、上部ケーシング８０の上面８９の対応部分の凹部８２によって空間が設けられているため、突出部分をその空間内に収めることができる。このようにして、リアクタ５２は、遮水ケーシング９０に対して固定される。なお、遮水ケーシング９０のリアクタ螺子孔９２や上部ケーシング８０に設けられた凹部８２は、図５において示すように、それぞれ２つ設けられているが、これは、サイズの異なるようなリアクタであっても収納可能にするためである。
【００５１】
次に、遮水ケーシング９０が、本体ケーシング６０のうちの下部ケーシング７０に対して固定される。ここでは、図５および図６において示すように、遮水ケーシング９０の右側面９７を左側に、下部ケーシング７０の右側面７３を右側にして、左右方向Ｄ２から接合させる。そして、遮水ケーシング９０の右側面９７に穿設された螺子孔９７ａと、下部ケーシング７０の右側面７３に穿設された螺子孔７３ａとが、螺子６１によって互いに連通されることにより螺合される。このようにして、遮水ケーシング９０と、下部ケーシング７０とが固定される。
【００５２】
さらに、遮水ケーシング９０が、本体ケーシング６０の上部ケーシング８０に対して固定される。ここでは、図５および図６において示すように、遮水ケーシング９０の前面９３を後ろ側に、上部ケーシング８０の前面８３を前側にして、前後方向Ｄ３から接合される。そして、遮水ケーシング９０の前面９３に穿設された螺子孔９３ａと、上部ケーシング８０の前面８３に穿設された螺子孔８３ａとが、螺子６３によって互いに連通されることにより螺合される。このようにして、遮水ケーシング９０と、上部ケーシング８０とが固定される。
【００５３】
そして、最終的に、上部ケーシング８０と下部ケーシング７０とが固定されて、リアクタ５２を収納した本体ケーシング６０が完成する。ここでは、図５、図７および図８において示すように、本体ケーシング６０の前側については、上部ケーシング８０の前方被固定部８４と、下部ケーシング７０の前方固定部７４とが上下方向Ｄ１から接合される。そして、上部ケーシング８０の前方被固定部８４に穿設された螺子孔８４ａと、下部ケーシング７０の前方固定部７４に穿設された螺子孔７４ａとが、螺子６４によって互いに連通されることにより螺合される。また、本体ケーシング６０の後ろ側は、上部ケーシング８０の後方被固定部８５と、下部ケーシング７０の後方固定部７５とが上下方向Ｄ１から接合される。そして、上部ケーシング８０の後方被固定部８５に穿設された螺子孔８５ａと、下部ケーシング７０の後方固定部７５に穿設された螺子孔７５ａとが、螺子６５によって互いに連通されることにより螺合される。このようにして、上部ケーシング８０と下部ケーシング７０とが固定される。なお、図６において示すように、リアクトルボックス５０が組み立てられると、上部ケーシング８０に設けられた導風板８７とＬ字形状板７７との間において放出口Ｏ４が形成される。
【００５４】
なお、このように螺子によってそれぞれのケーシングが螺合されるような固定手段に限らず、例えば、爪部と、爪部に対して係合するような被係合部とを設けることによってそれぞれが固定されるような固定手段を採用してもよい。
（室外機へのリアクトルボックスの固定動作）
上述のようにして内部にリアクタ５２を収納したリアクトルボックス５０は、図３に示すように、室外機２の送風室Ｓ１に固定される。
【００５５】
まず、リアクトルボックス５０の上部ケーシング８０の係止部８９ａを、図３に示すように、ファンモータ台２８ａのうち室外熱交換器２２の中央上端部分から前後方向Ｄ３の前方に延びている部分に対して、上から被せるようにして係止される。
また、リアクトルボックス５０の上部ケーシング８０の上面８９の左側に設けられた挟持部８６は、図３および図６において示すように、室外熱交換器２２の左側面部分を挟持する。具体的には、室外熱交換器２２の左側面部分を、挟持部８６のうちの外側挟持部８６ａが左側から、内側挟持部８６ｂが右側から挟み込むようにして挟持する。
【００５６】
そして、図３、図７および図８において示すように、上部ケーシング８０に設けられたリアクトルボックス設置板８８と、ファンモータ台２８ａの室外熱交換器２２に沿って配設されている部分とが前後方向Ｄ３から接合される。さらに、図５、図６図７および図８に示すように、リアクトルボックス設置板８８に穿設された螺子孔８８ａと、ファンモータ台２８ａの対応部分に穿設された螺子孔２８ｂとが、螺子６８によって互いに螺合されて、リアクトルボックス５０が送風室Ｓ１の内部に固定される。
【００５７】
［リアクタが冷却される際の動作］
空気調和装置１００の室外機２の送風室Ｓ１には、図３に示すように、プロペラファン２７が設けられており、このプロペラファン２７がファンモータ２８によって回転駆動されることによって送風室Ｓ１に図４において一点鎖線で示すような空気流れＦが形成される。この空気流れＦについて以下、具体的に説明する。
【００５８】
室外機２の外部にある空気は、プロペラファン２７の回転駆動に伴って空気流れが形成されることで、室外機２の外部後方から室外熱交換器２２を通じて送風室Ｓ１の内部に取り込まれる。送風室Ｓ１の内部取り込まれた空気は、図６、図８およびリアクトルボックス５０の上面図である図７において矢印Ｆ１，Ｆ２、Ｆ３、Ｆ１’，Ｆ２’、Ｆ３’で示すように、下部ケーシング７０に設けられている下部左スリット７１を通じて左側遮水空間Ｓ７に取り込まれ、上部ケーシング８０に設けられている上部後方スリット８１を通じて後方遮水空間Ｓ８に取り込まれる。このように、左側遮水空間Ｓ７と、後方遮水空間Ｓ８とに取り込まれた空気は、それぞれ遮水ケーシング９０に設けられている遮水左スリット９１と、遮水後方スリット９１’とを通じて、リアクタ５２が配設されている二重遮水空間Ｓ５へと取り込まれる。そして、二重遮水空間Ｓ５に収納されているリアクタ５２の近傍において空気の流れが作られることによって、発熱性のリアクタ５２から放出される熱が拡散される。このように二重遮水空間Ｓ５において、リアクタ５２の近傍を通過した空気は、図６において矢印Ｆ４で示すように、遮水ケーシング９０の右側面９７に設けられた放熱開口９７ｂを通じ、下部ケーシング７０のＬ字形状板７７の上方を通過して、上部ケーシング８０に設けられた導風板８７とＬ字形状板７７との間の空間である放出口Ｏ４を通ってリアクトルボックス５０の外部の送風室Ｓ１へと放出される。
【００５９】
このようにリアクトルボックス５０の内部に空気が取り込まれるような空気流れＦが形成されるのは、外気が、送風室Ｓ１のプロペラファン２７が回転駆動した場合に、室外機２の室外熱交換器２２の後ろ側の面および左側面から送風室Ｓ１の内部へと向かう方向に取り込まれるからである。このため、リアクトルボックス５０の下部左スリット７１と上部後方スリット８１とから、リアクトルボックス５０の内部に向かって外気が進入する。
【００６０】
また、ここでは、リアクトルボックス５０の内部の空気が、上部ケーシング８０に設けられた導風板８７とＬ字形状板７７との間の空間を通ってリアクトルボックス５０の外部に放出されている。このようにリアクトルボックス５０の内部の二重遮水空間Ｓ５から右側の放出口Ｏ４を介して外部の送風室Ｓ１に空気が放出される空気流れＦ４が形成されるのは、リアクトルボックス５０の右側においてプロペラファン２７による強い空気流れが前後方向Ｄ３の後方から前方に向けて形成されており、リアクトルボックス５０の内部のうち空気が放出される右側近傍においてはリアクトルボックス５０の内部中心付近と比べて圧力の低い状態が形成されているからである。このようにして、リアクトルボックス５０の内部の空気は、圧力の低い放熱開口９７ｂ近傍に向けて流れ、そのままリアクトルボックス５０の放出口Ｏ４を介して、リアクトルボックス５０の外部の送風室Ｓ１へと放出されることになる。
【００６１】
［リアクトルボックスの遮水動作］
室外機２は、通常、屋外に設置されて雨水を受ける恐れがあるが、室外機２の内部に設けられたプロペラファン２７が回転することによって、送風室Ｓ１の内部に、空気だけでなく水分が混ざって混入することがある。ここでは、リアクタ５２は、図７に示すように、リアクトルボックス５０によって、外気の取込側である左側と後ろ側とがそれぞれ二重に覆われている二重構造が採用されている。このため、リアクタ５２を水分から十分に保護することが可能となる。
【００６２】
具体的には、左側からの外気取り込み経路においては、下部ケーシング７０の下部左スリット７１が一重目、さらに遮水ケーシング９０の遮水左スリット９１が二重目となることで二重に覆われている。また、後ろ側からの外気取り込み経路においては、上部ケーシング８０の上部後方スリット８１が一重目、さらに遮水ケーシング９０の遮水後方スリット９１’が二重目となることで二重に覆われている。以下、左側からの経路と後ろ側からの経路とがほぼ同様であるために、左側の二重構造を例に挙げて説明する。
【００６３】
室外機２においては、上述のように、空気と水分とが一緒になって送風室Ｓ１に入り込んで、図６、図７において示すように、空気流れＦ１、Ｆ１’よってリアクトルボックス５０の近傍に到達するような場合がある。このように、空気流れＦ１、Ｆ１’よってリアクトルボックス５０の近傍にまで水分と外気とが到達した場合には、図６および図７に示すように、まず、一重目となる下部ケーシング７０の下部左スリット７１の膨出部７１ａによって、水分の大部分がリアクトルボックス５０内に入らないように遮られる。そして、空気と少量の水分とが、図６に示す空気流れＦ２によって、正面視右斜め上方に流れて行き、下部左スリット７１の遮水孔７１ｂ近傍に到達する。しかし、水分は、空気に比べて比重が大きいために、上方に向かうことが難しく、下部左スリット７１の遮水孔７１ｂを通過しにくい。さらに、下部左スリット７１を通過して左側遮水空間Ｓ７にまで水分が到達したとしても、そのような微量の水分は、下部左スリット７１を通過したことで空気流れＦ２の勢いが弱まっているために、左側遮水空間Ｓ７の下方に落下して、排水孔７６を通じて再びリアクトルボックス５０外部の送風室Ｓ１内に放出される。また、遮水ケーシング９０の遮水左スリット９１の遮水孔９１ｂ近傍においては、通過する空気の流れが弱まっているために、左側遮水空間Ｓ７に到達するような微量の水分についても、下部左スリット７１の遮水孔７１ｂと同様に、上方に向かって通過することは困難である。すなわち、空気流れＦ２の勢いによって移動してくる水分であっても、遮水左スリット９１の遮水孔９１ｂ近傍においては、通過する空気の流れが弱まっているために、遮水孔９１ｂを上方に向けて通過することができない。このため、遮水ケーシング９０の遮水左スリット９１の遮水孔９１ｂでは、水分をほとんど通過させないで空気を通過させることができる空気流れＦ３ができる。
【００６４】
このように、リアクトルボックス５０の二重構造によって、二重遮水空間Ｓ５内部には水分が入りにくくなっている。
＜特徴＞
（１）
従来の空気調和装置の室外機では、発熱部品であるリアクタ５２が機械室２の内部に配設されている等の配設場所、配設構造等が採用されている。このためリアクタ５２の近傍において部分的にしか空気の流れが形成されない等のためにリアクタ５２から生ずる熱を逃がしにくく、リアクタ５２の冷却を十分に行うことが困難な場合がある。このように、電装部品４２やリアクタ５２等の温度上昇を招いてしまうと、電装部品４２やリアクタ５２の使用条件に制約をかけたりする原因となる等、その機能を十分に発揮することができなくなる恐れがある。さらには、これに伴い、別途新たに耐熱性の優れたリアクタ５２を開発・製造することが必要となる等、コストが掛かってしまう。
【００６５】
しかし、上記実施形態における空気調和装置１００の室外機２では、発熱部品であるリアクタ５２は、下部左スリット７１の遮水孔７１ｂおよび遮水左スリット９１の遮水孔９１ｂの外気取込口と放出口Ｏ４とが設けられたリアクトルボックス５０に収納され、プロペラファン２７によって空気の流れＦが形成される送風室Ｓ１に配設される。このため、プロペラファン２７が駆動することによって、下部左スリット７１の遮水孔７１ｂおよび遮水左スリット９１の遮水孔９１ｂの外気取込口からリアクトルボックス５０の内部を通じて放出口Ｏ４にかけての空気流れＦが生じて、リアクタ５２から生じる熱を拡散させ、熱の滞留を抑えことができるようになる。このため、リアクタ５２の冷却効果を向上させることが可能となる。また、これにより、耐熱性の優れたリアクタを別途新たに開発・製造する必要性も無くなる。
【００６６】
（２）
近年は、室外機の設置スペースの狭小化等に伴って、室外機全体のコンパクト化が振興しつつある。しかし、このように室外機全体が狭小化されると、発熱部品であるリアクタ５２と、電装部品ユニット４０に収納された比較的熱に弱い電装部品４２との設置距離が近づいてしまい、リアクタ５２から生じた熱によって電装部品４２に悪影響を与えてしまうことになりかねない。また、耐熱性の優れた電気部品を開発・製造する必要が生じてしまい、コストが高くなってしまう。なお、電装部品ユニット４０とリアクトルボックス５０とを機械室Ｓ２の内部に配置した例があるが、この場合には放熱性確保のために電装部品ユニット４０に設けられている放熱フィン４３がリアクタ５２の近傍に配設されることになるため、放熱フィン４３による電装部品ユニット４０の冷却効果が減少してしまう。
【００６７】
しかし、上記実施形態に係る室外機２では、電装部品４２が収納されている電装部品ユニット４０と、リアクタ５２が収納されているリアクトルボックス５０とが別の部屋に配設されて、両者の間にある程度の距離を確保するようにして配設されている。このため、リアクタ５２から発生する熱によって、電装部品４２が悪影響を受けにくくすることができる。これによって、リアクタ５２の放熱性を確保しつつ、室外機２のコンパクト化を達成することができる。また、リアクタ５２や電装部品４２等の素材の設計温度を低くすることができ耐熱性を多少下げることも可能となるため、製造コストを低く抑えることができるようになる。
【００６８】
また、機械室Ｓ２内の電装部品ユニット４０の下に配設されている機械部品や、電装部品ユニット４０の内部に収納されている電装部品４２が発熱する性質の部品であったとしても、リアクタ５２とは互いに離れた位置に配置されているため、互いに生じた熱を効率的に拡散することができる。
（３）
なお、リアクタ５２を送風室Ｓ１に配設して十分な冷却を行う場合であっても、室外機２の送風室Ｓ１に屋外の雨水等が進入してリアクタ５２に水分を与えてしまい短絡を招くという恐れがある。このため、別途耐水性に優れたリアクタの開発・製造が必要となり、コストが掛かってしまう。また、電装部品ユニット４０からリアクタ５２を離れた位置に設ける態様として、機械室Ｓ２の上方空間の電装部品ユニット４０から少し離れた位置である室外機２の底フレーム近傍にリアクタ５２を配設することも可能である。しかし、この場合には、寒冷地等においては、雨水等の水分が室外機２の底面近傍において早い速度で成長して氷になってしまい、リアクタ５２自身が水没してしまうことにより短絡を招くという恐れもある。
【００６９】
しかし、上記実施形態における空気調和装置１００の室外機２では、リアクトルボックス５０の下部左スリット７１の遮水孔７１ｂとリアクタ５２との間において、空気よりも水のほうが通過しにくい構造を採用した遮水スリット９１を配設している。このため、上記実施形態におけるリアクトルボックス５０では、下部左スリット７１の遮水孔７１ｂおよび遮水左スリット９１の遮水孔９１ｂとによる二重の構造を設けることができている。このため、下部左スリット７１の遮水孔７１ｂからリアクトルボックス５０の内部に空気と水分が混入するような場合であっても、遮水左スリット９１の遮水孔９１ｂによって水分を効果的に遮ることにより、リアクタ５２を保護することができるようになる。また、リアクタ５２は、室外機２の上方空間である室外機２の天板の下に固定されている。このため、リアクタ５２が水没するような危険性についても低減させることができるようになる。なお、これにより、耐水性の優れたリアクタを別途新たに開発・製造する必要性も無くなる。
【００７０】
（４）
また、上記実施形態におけるリアクトルボックス５０は、室外機２の送風室Ｓ１の上下方向Ｄ１の上方であって左右方向Ｄ２の左側に配置されている。このため、リアクトルボックス５０は、プロペラファン２７が設けられており送風強度の強い送風室Ｓ１の中央部分からできるだけ離れて配置されている。このため、リアクトルボックス５０を送風室Ｓ１に配置したとしても、プロペラファン２７によって送風抵抗が増すことを抑えることが可能になる。このため、リアクトルボックス５０を送風室Ｓ１に配置した場合であっても、プロペラファン２７の送風性能をできるだけ高く保持することができるようになる。
【００７１】
なお、リアクトルボックス５０の形状は、略直方体形状から右下部分が削り取られた形状となっている。このため、プロペラファン２７の設けられている送風室Ｓ１の中央部分における空気の流れをできるだけ妨げないような構造となっている。このため、リアクトルボックス５０を送風室Ｓ１の内部に配設する場合であっても、送風抵抗が増すことをより効果的に抑えて送風性能の劣化を緩やかにすることができるようになる。
【００７２】
さらに、上記実施形態における空気調和装置１００の室外機２では、送風室Ｓ１において、リアクトルボックス５０は、新たにリアクトルボックス５０を配設するための支柱を設けるのではなく、ファンモータ２８の設置に用いられているファンモータ台２８ａを流用することにより設置することができる。このため、送風の妨げとなるようなリアクトルボックス配設用の支柱を設けなくても、リアクトルボックス５０を配設することができるようになる。
【００７３】
（５）
上記実施形態における空気調和装置１００の室外機２には、下部左スリット７１の遮水孔７１ｂを通り越してリアクトルボックス５０の内部に進入した水を外部に排出することのできる排水孔７６が設けられている。また、逆に、この排水孔７６からリアクトルボックス５０の内部に水が入ってこないようにリアクトルボックス５０の下部ケーシング７０の底面７９に当接するようにして遮水ケーシング９０の当接板９５が設けられている。
【００７４】
このため、下部左スリット７１の遮水孔７１ｂを通り越してリアクトルボックス５０の内部に進入した水は、リアクトルボックス５０の左側遮水空間Ｓ７の底面近傍を這わせるようにしてリアクトルボックス５０の外部の送風室Ｓ１に放出することができる。このため、リアクタ５２に対する遮水性をより確実に確保することができる。
＜他の実施形態＞
以上、本発明の一実施形態について説明したが、本発明は上記実施形態に限定されるものではなく、発明の要旨を逸脱しない範囲で種々の変更が可能である。
【００７５】
（Ａ）
上記実施形態における空気調和装置１００の室外機２では、リアクタ５２に対して水分が触れることを抑えつつリアクタ５２の冷却効果を向上させるためにリアクトルボックス５０を二重構造化させて送風室Ｓ１に配設されている室外機２を例に挙げて説明した。すなわち、空気の流路において上方に向かう部分を有する構造のリアクトルボックス５０を採用して、水と空気との比重に基づいて、空気よりも比重が大きい水が上方に上がりにくいという性質により、空気と水とを分離してリアクタ５２の冷却効果を確保しつつリアクトルボックス５０の遮水性を担保している。
【００７６】
しかし、本発明はこれに限定されるものではなく、空気よりも水のほうが通過しにくい遮水ケーシング９０の遮水左スリット９１や遮水後方スリット９１’としては、このほかにも、例えば、スポンジのような微細な孔が多数設けられたようなリアクトルボックスであってもよい。この場合には、リアクトルボックス５０の下部ケーシング７０の下部左スリット７１や上部ケーシング８０上部後方スリット８１を通過してくる水滴の大きさに着目して、その水滴の大きさに基づいて所定の大きさの水滴を捕らえることが可能な小さな孔が多数設けられた多孔質の遮水左スリットおよび遮水後方スリットを設けることが考えられる。この多孔質の遮水左スリットおよび遮水後方スリットでは、下部ケーシング７０の下部左スリット７１や上部ケーシング８０の上部後方スリット８１を通過した水滴（水分）および空気のうち、水滴を多く捕らえて空気だけを通過させて、水滴と空気とを分離することができる。ここで、多孔質の遮水左スリットおよび遮水後方スリットに捕らえられた水分は、ある程度蓄積されてくると上下方向Ｄ１の下側に落ちてくる。したがって、上記実施形態と同様に、下部ケーシング７０の下部左スリット７１や上部ケーシング８０の上部後方スリット８１を通過した水滴を、下部ケーシング７０に設けられた排水孔７６からリアクトルボックス５０の外部の送風室Ｓ１に放出することができる。
【００７７】
また、例えば、リアクトルボックス５０の下部ケーシング７０の下部左スリット７１や上部ケーシング８０上部後方スリット８１とリアクタ５２との間において、遮水ケーシング９０の遮水左スリット９１や遮水後方スリット９１’のような構造のスリットが何重にも重なって配設されている室外機であっても良い。また、遮水左スリット９１や遮水後方スリット９１’は、リアクトルボックス５０の下部ケーシング７０の下部左スリット７１や上部ケーシング８０上部後方スリット８１とリアクタ５２との間にさえ設けられていればよいため、複数の遮水ケーシング９０の遮水左スリット９１や遮水後方スリット９１’とが一体に形成されるような室外機であっても良い。
【００７８】
これらのような構造が採用された室外機のリアクトルボックスであっても、上述と同様の効果を得ることができる。
（Ｂ）
上記実施形態における空気調和装置１００の室外機２では、電装部品ユニット４０に設けられたパワートランジスタ４５等の発熱性の電装部品は、電装部品ユニット４０において送風室Ｓ１に通じるように設けられた放熱フィン４３を介して、熱を逃がすことができる構造が採用されている。
【００７９】
しかし、リアクトルボックス５０と電装部品ユニット４０との両者とも送風室Ｓ１に配設されるような構造を採用してもよい。この場合、送風室Ｓ１が比較的広い場合には両者をより離れた位置に配置することもできる。なお、プロペラファン２７が２つ設けられているような室外機の場合には、特に容易に送風室Ｓ１において両者を離して配置することができる。そして、この場合においても、リアクタ５２および発熱性の電装部品４２のそれぞれをより効果良く冷却することができるように最も離れた配置にすることができる。
【００８０】
なお、電装部品ユニット４０に設けられている電装部品４２のうち、発熱性の高いもののみを選んで、送風室Ｓ１に配置させるようにしてもよい。
（Ｃ）
なお、上記実機形態における空気調和装置１００の室外機２においては、リアクトルボックス５０は、送風室Ｓ１の上方空間に配設されている。しかし、リアクトルボックス５０に収納されるリアクタ５２の水没の恐れが無いような場合には、リアクトルボックス５０を室外機２の底面に配置させることも可能である。この場合であっても、上述した空気調和装置１００の室外機２と同様に、プロペラファン２７による送風の抵抗を抑えてリアクタの効率的な冷却が可能になる。
【００８１】
（Ｄ）
上記実施形態においては、リアクトルボックス５０は、３つのケーシングによって構成されている。しかし、リアクトルボックス５０は、上記実施形態と構造は同様のままに、３つのケーシングが一体に形成されているものであってもよい。
（Ｅ）
上記実施形態におけるリアクトルボックス５０では、リアクタ５２は、遮水ケーシング９０の上面９９においてリアクタ取付凹部９８が設けられている。しかし、リアクタ５２は、水分が溜まる恐れのあるリアクトルボックス５０の底面７９に接しないように配設されていれば良いため、リアクタ５２を設置するための取付部分は各ケーシングの側面において設けられているような構成であってもよい。
【産業上の利用可能性】
【００８２】
本発明に係る空気調和装置の室外ユニットによれば、発熱部品に水が触れることを抑えつつ、発熱部品の冷却効果を向上させることができるようになるため、送風機の配設されている送風機室と送風機室以外の機械室とに仕切られ発熱部品が設けられている空気調和装置の室外ユニットに対して特に有効である。
【図面の簡単な説明】
【００８３】
【図１】空気調和装置の外観構成図。
【図２】空気調和装置の冷媒回路図。
【図３】室外機の断面斜視図。
【図４】室外機の概略構成図。
【図５】リアクトルボックスの組み立て図。
【図６】リアクトルボックスの正面断面図。
【図７】リアクトルボックスの上面断面図。
【図８】リアクトルボックスの右側面断面図。
【符号の説明】
【００８４】
２    室外ユニット（室外機）
２７    送風機（プロペラファン）
２８ａ    送風機台（ファンモータ台）
４０    電装部品ユニット
４２    他の電装部品（電装部品）
５２    発熱部品（リアクタ）
６０    筐体（本体ケーシング）
７１ｂ    開口（遮水孔）
７９    底面
９１    遮水板（遮水左スリット）
９１ａ    膨出部
９１ｂ    遮水孔
Ｏ４    放出口
Ｓ１    送風機室（送風室）
Ｓ２    機械室
【図１】
0003698152.tif 000002
【図２】
0003698152.tif 000003
【図３】
0003698152.tif 000004
【図４】
0003698152.tif 000005
【図５】
0003698152.tif 000006
【図６】
0003698152.tif 000007
【図７】
0003698152.tif 000008
【図８】
0003698152.tif 000009